(57)【要約】【課題】空調機の暖房運転時の飲料の保冷、冷房運転時の飲料の保温を可能とする利便性の高いカップホルダーを提供する。【解決手段】温冷蔵庫の冷風ダクトから分岐する保冷ダクト４と、温冷蔵庫の温風ダクトから分岐する保温ダクト５と、前記保冷ダクト４および前記保温ダクト５と接続された飲料容器ホルダー部６とを有し、前記飲料容器ホルダー部６には、前記保冷ダクト４または前記保温ダクト５の少なくとも一方を選択的に遮断するシャッター７が設けられていることを特徴とする温冷機能付カップホルダー。【選択図】      図１
2004299551.tif 000002
【特許請求の範囲】
【請求項１】
温冷蔵庫の冷風ダクトから分岐する保冷ダクトと、温冷蔵庫の温風ダクトから分岐する保温ダクトと、前記保冷ダクトおよび前記保温ダクトと接続された飲料容器ホルダー部とを有し、前記飲料容器ホルダー部には、前記保冷ダクトまたは前記保温ダクトの少なくとも一方を選択的に遮断するシャッターが設けられていることを特徴とする温冷機能付カップホルダー。
【請求項２】
請求項１に記載の温冷機能付カップホルダーにおいて、前記シャッターは、前記保冷ダクトおよび前記保温ダクトの一端と接続されたケーシングと、前記保冷ダクトまたは前記保温ダクトの一方と合致する送風口が開口されたシャッター本体とを有し、前記シャッター本体は、前記ケーシングの内部に摺動可能に収納されていることを特徴とする温冷機能付カップホルダー。
【請求項３】
請求項２に記載の温冷機能付カップホルダーにおいて、前記ケーシングの内面に、前記シャッター本体の摺動方向に沿って複数の係止片が配置され、前記シャッター本体の一面に前記係止片と係合する板ばねが設けられていることを特徴とする温冷機能付カップホルダー。
【請求項４】
請求項３に記載の温冷機能付カップホルダーにおいて、前記ケーシングの内面と、前記シャッター本体の他の一面とに、前記シャッター本体の各係止位置で相互に接触する突起をそれぞれ設けたことを特徴とする温冷機能付カップホルダー。
【発明の詳細な説明】
【０００１】
【発明の属する技術分野】
本発明は、飲料容器を保温または保冷する機能を備えたカップホルダーに関する。
【０００２】
【従来の技術】
従来、自動車の室内に設けられるカップホルダーとして、既設の空調機の吹き出し口に取り付ける構造のもの（特許文献１参照）や、空調機から別途カップホルダー用に温風または冷風を取り出す構造のもの（特許文献２参照）が開示されている。また、大型車両では、空調機の操作とは独立して温度操作が可能な温冷蔵庫を備えたものが従来から広く知られている。
【０００３】
【特許文献１】
登録実用新案第３００９４９４号公報
【特許文献２】
特開２００２−２３５４公報
【０００４】
【発明が解決しようとする課題】
しかし、上記特許文献１および２に記載されたカップホルダーは、空調機の温風または冷風を利用するものであり、空調機の操作に連動して飲料の保温、保冷を行う。したがって上記の特許文献に開示の技術では、例えば、空調機の暖房運転時に炭酸入り清涼飲料水を保冷することや、空調機の冷房運転時に温かいスープを保温することなどができず、幅広い需用者のニーズに必ずしも合致しない点で改善の余地があった。
【０００５】
また、大型車両の温冷蔵庫は、空調機の暖房運転時における飲料の保冷、空調機の冷房運転時における飲料の保温が可能である。しかし、飲みかけの飲料容器を温冷蔵庫に出し入れするのは運転中の運転手にとって非常に煩雑であり、利便性の面でなお改善の余地がある。
本発明は上記課題を解決するためにされたものであって、その目的は、空調機の暖房運転時における飲料の保冷、冷房運転時における飲料の保温を可能とする利便性の高い温冷機能付カップホルダーを提供することである。
【０００６】
【課題を解決するための手段】
請求項１に記載の発明は、温冷蔵庫の冷風ダクトから分岐する保冷ダクトと、温冷蔵庫の温風ダクトから分岐する保温ダクトと、前記保冷ダクトおよび前記保温ダクトと接続された飲料容器ホルダー部とを有し、前記飲料容器ホルダー部には、前記保冷ダクトまたは前記保温ダクトの少なくとも一方を選択的に遮断するシャッターが設けられていることを特徴とする温冷機能付カップホルダーである。
【０００７】
請求項１の発明では、保冷ダクトをシャッターで遮断する場合には、飲料容器ホルダー部に保温ダクトの温風が流入する。また、保温ダクトをシャッターで遮断する場合には、飲料容器ホルダー部に保冷ダクトの冷風が流入する。なお、保温ダクトおよび保冷ダクトの両方をシャッターで遮断する場合には「切」の状態となる。
【０００８】
請求項２に記載の発明は、請求項１に記載の温冷機能付カップホルダーにおいて、前記シャッターは、前記保冷ダクトおよび前記保温ダクトの一端と接続されたケーシングと、前記保冷ダクトまたは前記保温ダクトの一方と合致する送風口が開口されたシャッター本体とを有し、前記シャッター本体は、前記ケーシングの内部に摺動可能に収納されていることを特徴とする。
【０００９】
請求項２の発明では、シャッター本体を摺動させて、保温、保冷、切の状態を選択することができる。
請求項３に記載の発明は、請求項２に記載の温冷機能付カップホルダーにおいて、前記ケーシングの内面に、前記シャッター本体の摺動方向に沿って複数の係止片が配置され、前記シャッター本体の一面に前記係止片と係合する板ばねが設けられていることを特徴とする。
【００１０】
請求項３の発明では、係止片と板バネが係合することで、シャッター本体が保温、保冷、切の状態で保持される。
請求項４に記載の発明は、請求項３に記載の温冷機能付カップホルダーにおいて、前記ケーシングの内面と、前記シャッター本体の他の一面とに、前記シャッター本体の各係止位置で相互に接触する突起をそれぞれ設けたことを特徴とする。
【００１１】
請求項４の発明では、ケーシングおよびシャッター本体に設けられた突起が、前記シャッター本体の各係止位置で接触し、シャッター本体の板バネをケーシングに押しつける。
【００１２】
【発明の実施の形態】
以下、図面により本発明の実施の形態を詳細に説明する。
【００１３】
図１から図６は、本発明の第１実施形態に該当する温冷機能付カップホルダー１を示す（請求項１から請求項４項に対応する）。図１に示す本発明の温冷機能付カップホルダー１は、温冷蔵庫２を備えた車両のコンソール等に設けられるものであり、運転席および助手席の乗員のために紙カップ、缶等の飲料容器３を収納できる構造となっている。
【００１４】
本実施形態の温冷機能付カップホルダー１は、冷風を取り込む保冷ダクト４と、温風を取り込む保温ダクト５と、飲料容器を収納する樹脂製の飲料容器ホルダー部６と、シャッター７とから構成されている。シャッター７は、飲料容器ホルダー部６に取り付けられて、保冷ダクト４または保温ダクト５の一方または両方を選択的に遮断できるように構成されている。
【００１５】
図２は、温冷機能付カップホルダー１と温冷蔵庫２との関係を示す概略図である。ここで温冷蔵庫２の構成について説明すると、温冷蔵庫２は、冷風ダクト８および温風ダクト９により空調機１０から冷風および温風を取り込んで、内蔵物を保温または冷却するものである。温冷蔵庫２の冷風ダクト８はエバポレータ１２の後方に接続され、エバポレータ１２の通過直後の冷風（約５℃）を取り込むことができるようになっている。一方、温冷蔵庫２の温風ダクト９はヒーターコア１３の後方に接続され、ヒーターコア１３の直後の温風（約６０℃から約７０℃）を取り込むことができるようになっている。冷風ダクト８および温風ダクト９によって温冷蔵庫２に流入した空気は、リターンダクト１４によって空調機１０のブロア１１に戻される。なお、温冷蔵庫２の保温、保冷の切り替えは、温冷蔵庫２の切り替えレバー１５によって、保温時には冷風ダクト８を、保冷時には温風ダクト９を遮断することで行う。
【００１６】
本実施形態のカップホルダー１では、保冷ダクト４は温冷蔵庫２の冷風ダクト８から分岐しており、エバポレータ１２からの冷風を取り込むことができる。また、保温ダクト５は温冷蔵庫２の温風ダクト９から分岐しており、ヒーターコア１３からの温風を取り込むことができる。
図３は温冷機能付カップホルダー１のシャッター７の分解斜視図であり、図４から図６は、シャッター７の組み立て断面図である。シャッターは、操作レバー１８が一体に形成されたシャッター本体１６と、シャッター本体１６を内部に収納するケーシング１７とから構成されている。
【００１７】
ケーシング１７は、飲料容器ホルダー部６に取り付けられるパーツ１７ａと、保冷ダクト４および保温ダクト５が接続されるパーツ１７ｂとの２つのパーツから構成される。
一方のパーツ１７ａには吹き出し口１９が開口されている。この吹き出し口１９の上方には、操作レバー１８を移動させるための溝部２０が吹き出し口１９と一体に形成されている。そして、パーツ１７ａの組立時における内側面には、突起２１が上下方向に間隔をおいて複数設けられている。この突起２１は、シャッター本体１６の各係止位置と対応して形成されている。
【００１８】
また、他方のパーツ１７ｂには、保冷ダクト４の出口２２および保温ダクト５の出口２３が接続されている。保冷ダクト出口２２および保温ダクト出口２３は、ケーシング１７の内側に突き出して形成されている。さらに、パーツ１７ｂの内側面には、三角形状の係止片２４が上下方向に沿って複数配置されている。本実施形態では、係止片２４は、保冷ダクト出口２２および保温ダクト出口２３を隔てて並列に配置されている。
【００１９】
シャッター本体１６は、その中央に送風口２５が開口されている。この送風口２５は、保冷ダクト出口２２または保温ダクト出口２３の一方と合致する大きさに設定されている。また、シャッター本体１６の幅方向の両端には、係止片２４と係合する板ばね２６と、突起２１に対向して当接する突起２７とがそれぞれ設けられている。
【００２０】
また、シャッター７の組立時において、シャッター本体１６は、上下方向に摺動可能な状態でケーシング１７の内部に収納される。そして、板ばね２６と係止片２４との係合によって、シャッター本体１６は、送風口２５が保冷ダクト出口２２、保温ダクト出口２３と合致する状態と、送風口２５が保冷ダクト出口２２および保温ダクト出口２３の間に位置する状態の３カ所で安定するようになっている。このシャッター本体１６の各安定位置では突起２１と突起２７とが接触して、保冷ダクト出口２２および保温ダクト出口２３にシャッター本体１６が押しつけられるようになっている。
【００２１】
本実施形態の温冷機能付カップホルダー１は上記のように構成されており、以下、その作用を説明する。
本実施形態の温冷機能付カップホルダー１は、操作レバー１８によってシャッター本体１６を上下動させて、保冷、保温、「切」の状態を選択できる。操作レバー１８の上下動時には、板ばね２６が係止片２４を乗り越える際の抵抗によって、良好なクリック感を得ることができる。
【００２２】
図４に示すように、操作レバー１８が最上部に位置する場合には、温冷機能付カップホルダー１は保冷状態となる。すなわち、シャッター本体１６は保温ダクト出口２３を遮断し、送風口２５が保冷ダクト出口２２と合致した状態で係止される。そして、保冷ダクト４からの冷風は、送風口２５と吹き出し口１９を経て飲料容器ホルダー部６に流れ、飲料容器３が冷却される。
【００２３】
図５に示すように、操作レバー１８が最下部に位置する場合には、温冷機能付カップホルダー１は保温状態となる。すなわち、シャッター本体１６は保冷ダクト出口２２を遮断し、送風口２５が保温ダクト出口２３と合致した状態で係止される。そして、保温ダクト５からの温風は、送風口２５と吹き出し口１９を経て飲料容器ホルダー部６に流れ、飲料容器３が暖められる。
【００２４】
また、図６に示すように、操作レバー１８が中央部に位置する場合、温冷機能付カップホルダー１は「切」の状態となる。このとき、送風口２５は保冷ダクト出口２２および保温ダクト出口２３の中間に位置し、シャッター本体１６は保冷ダクト出口２２および保温ダクト出口２３の両方を遮断した状態で係止される。
【００２５】
【発明の効果】
本発明の温冷機能付カップホルダーは、温冷蔵庫から分岐する保冷ダクトおよび保温ダクトから冷風および温風を取り込んで、ホルダー内の飲料容器を保温または保冷することができる。そのため、空調機の暖房運転時における飲料の保冷、冷房運転時における飲料の保温を可能とし、乗員の求める利便性を高い水準で満たすことができる。
【図面の簡単な説明】
【図１】温冷機能付カップホルダーの構造を示す側面断面図である。
【図２】温冷機能付カップホルダーと温冷蔵庫との関係を示す概略図である。
【図３】シャッターの分解斜視図である。
【図４】温冷機能付カップホルダーの保冷状態におけるシャッター部分の断面図である。
【図５】温冷機能付カップホルダーの保温状態におけるシャッター部分の断面図である。
【図６】温冷機能付カップホルダーの「切」状態におけるシャッター部分の断面図である。
【符号の説明】
１    温冷機能付カップホルダー
２    温冷蔵庫
３    飲料容器
４    保冷ダクト
５    保温ダクト
６    飲料容器ホルダー部
７    シャッター
８    冷風ダクト
９    温風ダクト
１０  空調機
１１  ブロア
１２  エバポレータ
１３  ヒーターコア
１４  リターンダクト
１５  切り替えレバー
１６  シャッター本体
１７，１７ａ，１７ｂ  ケーシング
１８  操作レバー
１９  吹き出し口
２０  溝部
２１  突起
２２  保冷ダクト出口
２３  保温ダクト出口
２４  係止片
２５  送風口
２６  板ばね
２７  突起
【図１】
2004299551.tif 000003
【図２】
2004299551.tif 000004
【図３】
2004299551.tif 000005
【図４】
2004299551.tif 000006
【図５】
2004299551.tif 000007
【図６】
2004299551.tif 000008